(57)【要約】【課題】植生根のロール現象、土壌菌の部分過剰繁殖、養分の偏向を防ぐばかりでなく、施工が容易で、コンクリート製の法面上に凹凸があっても強固な緑化植生基盤を構成できる緑化植生ブロック用素材を提供する。【解決手段】緑化植生ブロック用素材１Ａは板材の長手方向に直角に等間隔に設けられた多数の折れ目１２とこの折れ目１２によって区画された方形の区域に設けられた多数の透孔１３とを有する長方形の板材より構成されているので、現場等においてこの素材１Ａを折り曲げ両端の糊代部１４、１４をステープラ針等で止めれば、極めて容易に断面多角形の緑化植生ブロックが形成できる。【選択図】図１
2005068664.tif 000002
【特許請求の範囲】
【請求項１】
板材の長手方向に直角に等間隔に設けられた多数の折れ目と該折れ目によって区画された方形の区画に設けられた多数の透孔とを有する長方形の板材より構成されていることを特徴とする緑化植生ブロック用素材。
【請求項２】
上記長方形の板材はダンボール、厚紙、再生紙等の紙質材料、木材、合成木材、合板等の木質材料およびプラスチック材料より選ばれた１種または２種以上の材料から形成されていることを特徴とする請求項１に記載の緑化植生ブロック用素材。
【請求項３】
上記区画内の透孔の総面積がその区画の面積の８％ないし２０％になるように透孔が穿孔されていることを特徴とする請求項１または請求項２に記載の緑化植生ブロック用素材。
【請求項４】
上記折れ目が３本ないし８本設けられていることを特徴とする請求項１ないし請求項３のいずれかに記載の緑化植生ブロック用素材。
【請求項５】
上記折れ目が５本または６本設けられていることを特徴とする請求項４に記載の緑化植生ブロック用素材。
【請求項６】
上記長方形の板材の縦の長さが３ｃｍないし２０ｃｍ、横の長さが１５ｃｍないし５０ｃｍであることを特徴とする請求項１ないし請求項５のいずれかに記載の緑化植生ブロック用素材。
【発明の詳細な説明】
【０００１】
【発明の属する技術分野】
本発明は、道路、ダム、造成地等法面上に草や樹木を植えて緑化するための緑化植生基盤を構成するための緑化植生基盤を構成するための、特に、コンクリート製の法面上に緑化植生基盤を構成するための緑化植生ブロック用素材に関する。
【０００２】
【従来の技術】
コンクリート製の法面に草や樹木を植えて緑化するための緑化植生工法に使用する緑化植生ブロックとしては、今まで各種の緑化植生ブロックが提案されている。
【０００３】
その代表的なものとしては、（ａ）土壌充填用空洞を有し斜面と同じ傾斜度を持って作成されたコンクリート製の植生ブロックで、これをモルタル上に敷き詰めるもの、（ｂ）羽根板付きのアンカーでモルタル面に等間隔で打ち込み、この上下の羽根板の間に土壌を盛るもの、（ｃ）生分解性材料のパネル基盤上に多数の凹部を形成し、この凹部に種子、肥料、吸収性ポリマーを詰めて、このパネルを法面上に敷き詰めるもの等を挙げることができる。
【特許文献１】特開平０９−３０２６８６号公報
【特許文献２】特開平１０−３７２２０号公報
【特許文献３】特開平１０−２４８３８０号公報
【０００４】
【発明が解決しようとする課題】
ところが、上記（ａ）の特開平０９−３０２６８６号公報記載の植生ブロックはコンクリート製なので製造費用が高価に付くばかりでなく、法面の傾斜度が大きい場合は、植生植物を植える土壌充填用空洞の面積が小さくなる、植生ブロックが崩落する危険度が高くなる等の欠点を有する。
【０００５】
上記（ｂ）の特開平１０−３７２２０号公報記載の羽根板付きのアンカーはその数だけモルタル面を穿孔する必要があるので、冬季その削孔部分から浸透した水分がモルタル面の裏面において凍結膨張してモルタルを破壊するという問題がある。
【０００６】
上記（ｃ）の特開平１０−２４８３８０号公報記載のパネル基盤は、庭園、河川敷、傾斜地、ゴルフ場等の土壌が剥き出しになっている法面を対象にして開発されたものと思われるが、土壌以外のコンクリート面の上にも直に緑化が可能であると言及している。
【０００７】
しかし、実際のコンクリート製の法面の場合は、その表面は必ずしも平坦ではなく、このような広い面積を持つパネル基盤を凹凸のあるコンクリート製の法面の上に敷き詰めた場合、パネル基盤とコンクリート面との間に隙間が生じ、雨水がその隙間を流通してパネル基盤とコンクリート面との接合、植生植物のコンクリート面への定着を阻害する。そのために、コンクリート面の表側をある程度掘削してからパネル基盤を敷き詰める必要が生じてくる。このようにコンクリートの表面を破壊することは、法面保護機能を著しく低下させることになる。
【０００８】
さらに、このパネル基盤の凹部の底には穴が開けられているが、側面には透孔が存在しないので、植生植物の根が横方向に伸びることができず植生根のロール現象を起こし植物の発育を阻害すると同時に、隣接する植物同士の根が絡まって緑化基盤を強化する効果が期待できない。
【０００９】
【課題を解決する手段】
本発明は従来の課題を解決し、且つ、大幅なコストダウンと作業性を高めることのできる緑化植生基盤を形成するための緑化植生ブロック用素材を提供するものである。
【００１０】
本発明の緑化植生ブロック用素材は、板材の長手方向に直角に等間隔に設けられた数本の折れ目と該折れ目によって区画された方形の区画に設けられた多数の透孔とを有する長方形の板材より構成されていることを特徴とする。
【００１１】
本発明の緑化植生ブロック用素材をその折れ目に沿って折り曲げ、両端の糊代部を接合すると上面および底面が解放された中空の断面多角形の柱状体よりなる緑化植生ブロックが極めて容易に形成される。そして、この緑化植生ブロックを法面上に直立させ、隣接する緑化植生ブロックの側面を接続するとハニカム状植生ブロック集合体が形成され、このハニカム状植生ブロック集合体を固定した後、植生植物の種子を混入した客土を吹き付けて被覆すれば、緑化植生基盤が形成される。
【００１２】
本発明の緑化植生ブロック用素材の透孔の数は、透孔の総面積がその区画の面積の８％ないし３０％になるように設けれらている。透孔の総面積がその区画の面積の８％よりも少ないと、緑化植生ブロック内に溜まった重力水の排出が悪く、この中に植えた植生植物の根腐れを起こす原因になる。透孔の総面積がその区画の面積の３０％よりも大きい場合は、重力水が流出して保水性が悪くなると同時
に、緑化植生ブロックの強度が弱くなるので好ましくない。
【００１３】
本発明の緑化植生ブロック用素材の長方形の板材の縦の長さは３ｃｍないし２０ｃｍ、横の長さが１５ｃｍないし５０ｃｍであることが好ましい。緑化植生ブロックの高さが３ｃｍより低いと客土を収容する体積が小さくなるので植物の根付が悪くなるので好ましくない。２０ｃｍよりも高いと斜面で客土を入れた場合、強度不足で自壊してしまう可能性がある。
【００１４】
本発明の緑化植生ブロック用素材の折れ目は３本ないし８本設けられている。折れ目が３本の場合はこの素材を折りたたんでできた緑化植生ブロックは断面三角形の柱状体より構成される。以下同様に折れ目の数と等しい多角形の柱状体が形成される。三角形は多角形を形成する最小限の数である。八角形よりも辺の数が多い多角形は円に近づき、緑化植生ブロックに詰め込んだ客土が膨張する力を受け止める強度が小さくなり好ましくない。
【００１５】
すなわち、折れ目の数が３つの場合は三角形の植生ブロックが形成されが、三角形の植生ブロックは入り口面積が小さいので、スラリーポンプで客土スラリーを注入する場合中まで入りにくい。従って、充填された客土に空隙ができる。入り口面積を大きくするとハニカム状植生ブロック集合体とした場合にその強度が弱くなる。
【００１６】
折れ目の数が４つの場合は四角形の植生ブロックが形成されが、四角形の植生ブロックはハニカム状植生ブロック集合体にした場合その強度が、五角形、六角形の植生ブロックに比べて弱い。
【００１７】
折れ目の数が５つの場合は五角形の植生ブロックが形成されが、五形角の植生ブロックはハニカム状植生ブロック集合体にした場合その強度が強く、スラリーポンプで客土スラリーを注入した場合中まで入りやすい。また、ハニカム状植生ブロック集合体にした場合、菱形の空隙ができるが、最終工程で客土スラリーを吹き付ければこの菱形の空隙の中にも客土が注入されるので緑化植生基盤の強度を弱くすることはない。さらに、この菱形の空隙の存在によってブロック集合体のフレキシビリティが増し、凹凸の法面上に載せた場合、その凹凸を吸収して法面との間に隙間が生じなくなる。
【００１８】
折れ目の数が６つの場合は六角形の植生ブロックが形成されが、六角形の植生ブロックはハニカム状植生ブロック集合体にした場合その強度が最も強い。さらに客土スラリーは奥まで入りやすいので客土の充填率が最も高い。
従って、折れ目の数は５および６が最も好ましい。
【００１９】
本発明の緑化植生ブロック用素材を形成する長方形の板材はダンボール、厚紙、再生紙等の紙質材料、木材、合成木材、合板等の木質材料およびプラスチック材料より選ばれたいづれか１種または２種以上の材料から形成されている。
【００２０】
これらの材料のうち特に好ましいものは、保水性、機械的強度、凍結耐破壊性、生分解性、環境汚染性、製造の容易性、現場での易組立性、コストの面から選定される。
【００２１】
紙質材料の中ではダンボールが上記すべての条件を満足できる材料であるので最も好ましい。厚紙も使用可能であるがコストの点で難点がある。再生紙は生分解性がやや劣る。
【００２２】
木質材料の中では合成木材が比較的好ましいが、製造の容易性、コストの点で難点がある。木材は製造面、現場での組み立て性、コストの面でやや劣る。合板は強度の面では優れているが生分解性、製造面、現場での組み立て性、コストの面で劣る。
【００２３】
プラスチック材料としてビニール樹脂や発泡プラスチック等も使用可能であるが、生分解性が悪く、また環境汚染性の点でも好ましくない。その点、生分解性プラスチックが好ましく用いられる。生分解性プラスチックとしては、微生物産生系生分解性プラスチック、澱粉系生分解性プラスチック、セルロース系生分解性プラスチック、乳酸系生分解性プラスチック、ポリカプトラクトン系生分解性プラスチック等種々製造されているが、いずれの生分解性プラスチックでも、またここに例示されていない生分解性プラスチックでも使用可能である。
【００２４】
ハニカム状植生ブロック集合体を形成する工程において、緑化植生ブロック同士を結合する方法としては、接着剤で接着する方法が最も一般的でるが、この方法は接合に時間がかかる、接着剤のコストが高い等の難点がある。そこで、紙質材料や柔らかいプラスチックで製造されたものはステープラ針で上下２箇所を止める方法が最も簡単で、特に現場いにおいて組み立てる場合、作業性に勝れているので推奨する。
木質材料や堅いプラスチックの場合は、Ｕ字型の金属製の接続具を用いることもできる。
【００２５】
【実施例】
次に本願発明の実施例を図１によって説明する。
１Ａは本発明の緑化植生ブロック用素材の平面図で、１２は折れ目、１１は折れ目１２によって区画された区画、１３は透孔、１４は柱状体を形成するために接合する糊代部である。この例では断面六角の柱状体よりなる緑化植生ブロックを形成するための素材で、折れ目１２の数は６個である。
【００２６】
図２は断面五角の柱状体よりなる緑化植生ブロックを形成するための緑化植生ブロック用素材１Ｂを示すもので、折れ目１２の数は５個である。
【００２７】
この緑化植生ブロック用素材１Ａの１区画のサイズは高さ１５ｃｍ、横６ｃｍ、透孔の数１４、透孔の直径１ｃｍである。従って側面１１に対する透孔の総面積の比率は１２．２％である。
【００２８】
次に本発明の緑化植生ブロック素材の使用方法について説明する。
先ず、図３に示すように緑化植生ブロック用素材１Ａを折れ目１２に沿って折り曲げ素材１Ａの両端の糊代部１４，１４を重ねてステープラ針１５で止めて断面六角の緑化植生ブロック２Ａを形成する。
【００２９】
次に、図４に示すように、緑化植生ブロック２Ａを２個並べ、接触する側面１１同士を密接した状態でステープラ針１６で上下２箇所を止める。以下同様にして蜂巣状に組み立ててハニカム状植生ブロック集合体４Ａを構成する。
【００３０】
緑化植生ブロックは背の高い植生ブロック（例えば高さ１５ｃｍ）、中くらいの植生ブロック（例えば高さ１０ｃｍ）、背の低い植生ブロック（例えば高さ５ｃｍ）の３種類が用意されている。そして、図５、図６に示すようにコンクリート製法面８の上の中央部には背の高い植生ブロックで構成したハニカム状植生ブロック集合体４１を、その回りに中くらいの高さの植生ブロックで構成したハニカム状植生ブロック集合体４２を、その外周に背の低い植生ブロックで構成したハニカム状植生ブロック集合体４３をそれぞれ配置する。
【００３１】
このようにして構成されたハニカム状植生ブロック集合体の主要部をアンカー５１で仮止めした後、全面を金網６で覆い、その周囲をピン５２で法面上に固定する。最後に、種子等を混入した客土スラリーをスラリーポンプで吹き付け緑化植生基盤７を形成する。
【００３２】
図７は断面五角形の緑化植生ブロック２Ｂを組み合わせて構成したハニカム状植生ブロック集合体でその配置の仕方によって２種類の植生ブロック集合体４Ｂ、４Ｃが形成される。いずれも菱形の隙間４４が形成されるが、施工時に客土をスラリーポンプによって吹き付ければ、この隙間４４にも客土が充填されるのでハニカム状植生ブロック集合体の強度には影響ない。
【００３３】
【発明の効果】
本発明の緑化植生ブロック素材は、板材の長手方向に直角に等間隔に設けられた多数の折れ目とこの折れ目によって区画された方形の区域に設けられた多数の透孔とを有する長方形の板材より構成されているので、現場等においてこの素材を折り曲げ両端をステープラ針等で止めれば、極めて容易に断面多角形の緑化植生ブロックが形成できるので、植生ブロック製造費、輸送費、施工費等を低減することができる。
【００３４】
本発明の緑化植生ブロック素材より形成された緑化植生ブロックを多数並べその隣接する緑化植生ブロック同士の側面を結合して構成したハニカム状植生ブロック集合体は、法面上に凹凸があってもコンクリート面との間に間隙が生ぜず、強固な緑化植生基盤を形成することができる。
【００３５】
本発明の緑化植生ブロック素材より形成された緑化植生ブロックは、上面および底面が解放され側面に多数の透孔を有する中空の断面多角形の柱状体として構成されているので、この緑化植生ブロックを多数並べその隣接する緑化植生ブロック同士の側面を結合して構成したハニカム状植生ブロック集合体は、植生根のロール現象、土壌菌の部分過剰繁殖、養分の偏向を防ぐばかりでなく、側面の透孔から植生植物の根が横に伸び隣接する緑化植生ブロック中の植生植物の根と絡み合って強固な緑化植生基盤を形成することができる。
【００３６】
本発明の緑化植生ブロック用素材として、紙質材料や生分解性プラスチック材料等の保水性、生分解性の材料を使用すれば、乾燥障害耐性が高く、環境汚染性の少ない緑化植生基盤を形成することができる。
【図面の簡単な説明】
【図１】本発明の一実施例の緑化植生ブロック用素材の平面図である。
【図２】本発明の他の実施例の緑化植生ブロック用素材の平面図である。
【図３】本発明の緑化植生ブロック用素材で形成された緑化植生ブロックの斜面図である。
【図４】本発明の緑化植生ブロックを用いてハニカム状植生ブロック集合体を形成する説明図である。
【図５】緑化植生ブロックによってハニカム状植生ブロック集合体を形成する説明図である。
【図６】本発明の緑化植生ブロック用素材から形成された緑化植生基盤を示す説明図である。
【図７】五角形の緑化植生ブロックから形成されたハニカム状植生ブロック集合体の平面図である。
【符号の説明】
１Ａ  緑化植生ブロック用素材
１１  側面
１２  折れ目
１３  透孔
１５  ステープラ針
２Ａ  緑化植生ブロック
４Ａ  ハニカム状植生ブロック集合体
５１  アンカー
６  金網
７  緑化植生基盤
【図１】
2005068664.tif 000003
【図２】
2005068664.tif 000004
【図３】
2005068664.tif 000005
【図４】
2005068664.tif 000006
【図５】
2005068664.tif 000007
【図６】
2005068664.tif 000008
【図７】
2005068664.tif 000009